(57)【特許請求の範囲】
【請求項１】
発光ダイオードと、
前記発光ダイオードの周囲温度をリアルタイムで測定する温度測定回路と、
前記発光ダイオードを駆動する駆動回路と、
対象時刻の前記周囲温度および該対象時刻までの一定時間における前記周囲温度の時間変化量に応じて、前記発光ダイオードの発光状態を変化させるように前記駆動回路における駆動電流を制御する制御回路と
を備え、
前記制御回路は、前記対象時刻における対象周囲温度および該対象時刻までの所定時間における前記周囲温度の時間変化量の双方に応じて、前記対象時刻以降の前記駆動電流の大きさを設定することを特徴とする発光ダイオード照明装置。
【請求項２】
前記時間変化量は所定の範囲で複数に区分され、
前記制御回路は、前記区分に応じてデューティ比の変更量を設定することを特徴とする請求項１に記載の発光ダイオード照明装置。
【請求項３】
前記発光ダイオード及び前記温度測定回路が配置された基板を更に備えることを特徴とする請求項１又は２に記載の発光ダイオード照明装置。
【請求項４】
前記発光ダイオードが前記基板の第１の主面上に配置され、前記温度測定回路が前記第１の主面と対向する前記基板の第２の主面上に配置されていることを特徴とする請求項３に記載の発光ダイオード照明装置。
【請求項５】
前記温度測定回路が、前記基板を貫通して前記発光ダイオードと接する熱伝導体の前記第２の主面に露出した部分に隣接して配置されていることを特徴とする請求項４に記載の発光ダイオード照明装置。
【発明の詳細な説明】
【技術分野】
【０００１】
本発明は、発光ダイオードを光源とする発光ダイオード照明装置に関する。
【背景技術】
【０００２】
近年、蛍光灯等に代えて発光ダイオード（ＬＥＤ）を光源とする照明装置の実用化が進められている。発光ダイオードを光源とすることにより、蛍光管を使用する場合に比べて長寿命、省エネルギー等の効果が得られる。
【０００３】
発光状態にある発光ダイオードは、発光ダイオード自身の発熱等により発光ダイオードの接合温度が上昇し、その結果発光ダイオードから出射される光の波長が変動して輝度が変化するという問題がある。このため、発光ダイオードの周囲温度を測定して発光ダイオードの輝度を制御する方法が提案されている（例えば、特許文献１参照。）。
【特許文献１】特開２００１−３１２２４９号公報
【発明の開示】
【発明が解決しようとする課題】
【０００４】
しかしながら、上記に提案されている方法は、測定した時点の発光ダイオードの周囲温度に応じて駆動電流を増減させて、発光ダイオードの輝度を調整する。このため、駆動電流を増やしすぎたり減らしすぎたりすることによって、発光ダイオードの輝度を所望の値に安定して設定するまでに要する時間が増大するという問題があった。
【０００５】
上記問題点を鑑み、本発明は、周囲温度を用いて発光ダイオードの輝度を設定する時間の増大を抑制できる発光ダイオード照明装置を提供することを目的とする。
【課題を解決するための手段】
【０００６】
本発明の一態様によれば、発光ダイオードと、前記発光ダイオードの周囲温度をリアルタイムで測定する温度測定回路と、前記発光ダイオードを駆動する駆動回路と、対象時刻の前記周囲温度および該対象時刻までの一定時間における前記周囲温度の時間変化量に応じて、前記発光ダイオードの発光状態を変化させるように前記駆動回路における駆動電流を制御する制御回路とを備え、前記制御回路は、前記対象時刻における対象周囲温度および該対象時刻までの所定時間における前記周囲温度の時間変化量の双方に応じて、前記対象時刻以降の前記駆動電流の大きさを設定する発光ダイオード照明装置が提供される。
【発明の効果】
【０００７】
本発明によれば、周囲温度を用いて発光ダイオードの輝度を設定する時間の増大を抑制できる発光ダイオード照明装置を提供できる。
【発明を実施するための最良の形態】
【０００８】
次に、図面を参照して、本発明の実施形態を説明する。以下の図面の記載において、同一又は類似の部分には同一又は類似の符号を付している。ただし、図面は模式的なものであり、厚みと平面寸法との関係、各部の長さの比率等は現実のものとは異なることに留意すべきである。したがって、具体的な寸法は以下の説明を参酌して判断すべきものである。又、図面相互間においても互いの寸法の関係や比率が異なる部分が含まれていることはもちろんである。
【０００９】
又、以下に示す実施形態は、この発明の技術的思想を具体化するための装置や方法を例示するものであって、この発明の技術的思想は、構成部品の形状、構造、配置等を下記のものに特定するものでない。この発明の技術的思想は、特許請求の範囲において、種々の変更を加えることができる。
【００１０】
本発明の実施形態に係る発光ダイオード照明装置１は、図１に示すように、発光ダイオード１１〜１ｎと、発光ダイオード１１〜１ｎの周囲温度Ｔをリアルタイムで測定する温度測定回路２０と、発光ダイオード１１〜１ｎを駆動する駆動回路３０と、周囲温度Ｔ及び周囲温度Ｔの時間変化量に応じて駆動回路３０を制御する制御回路４０とを備える（ｎ：２以上の整数）。なお、図１では発光部１０が発光ダイオード１１〜１ｎを直列接続した発光ダイオード列を含む例を示したが、駆動回路３０が駆動する発光ダイオードの個数は１個でもよい。
【００１１】
発光ダイオード１１〜１ｎが出射する光の輝度は発光ダイオード１１〜１ｎの接合温度に影響される。通常、接合温度が上昇すると発光ダイオード１１〜１ｎが出射する光の輝度が上昇する。しかし、発光ダイオード１１〜１ｎの接合温度を直接測定することは困難であるため、発光ダイオード照明装置１は、発光ダイオード１１〜１ｎの周囲温度Ｔによって間接的に接合温度を検知する。
【００１２】
温度測定回路２０には、例えば温度変化に依存して電気抵抗が変化するサーミスタ等を使用して周囲温度Ｔを測定可能である。温度測定回路２０は、測定した周囲温度Ｔを測定信号ＳＡで制御回路４０に送信する。
【００１３】
制御回路４０は、送信された周囲温度Ｔ及び周囲温度Ｔの時間変化に応じて、発光ダイオード１１〜１ｎの出射光が所望の輝度になるように駆動回路３０を制御する。具体的には、制御回路４０は、任意の対象時刻の周囲温度Ｔ、及びその対象時刻までの一定時間における周囲温度Ｔの変化量に応じて、発光ダイオード１１〜１ｎの発光状態を変化させるように駆動回路３０を制御する。このため、制御回路４０は、温度測定回路２０から送信される過去の各時刻における周囲温度Ｔを記録する機能を有する。
【００１４】
制御回路４０は、制御信号ＳＢを駆動回路３０に出力して、駆動回路３０から発光ダイオード１１〜１ｎに出力される駆動電流の大きさを設定する。例えば、発光ダイオード１１〜１ｎの出射光の所望の輝度に応じてデューティ比を設定したパルス信号の制御信号ＳＢにより、駆動回路３０をパルス幅変調（ＰＷＭ）制御する。或いは、直流電圧値等を制御信号ＳＢで駆動回路３０に送信することによって、駆動電流の大きさを設定してもよい。制御回路４０が駆動電流の大きさを設定する方法の詳細は後述する。
【００１５】
駆動回路３０は、制御信号ＳＢに応じて、発光ダイオード１１〜１ｎの駆動電流を増減して発光ダイオード１１〜１ｎの出射光の輝度を制御する。
【００１６】
発光ダイオード１１〜１ｎ及び温度測定回路２０は、例えば図２に示すように基板１００上に配置可能である。基板１００は、アルミニウム（Ａｌ）板からなるプリント基板等が採用可能である。図２は、発光ダイオード１１〜１ｎを基板１００の第１の主面１０１上に配置し、温度測定回路２０を第１の主面１０１に対向する基板１００の第２の主面１０２上に配置した例である。図２に示すように温度測定回路２０が基板１００上に配置された場合、温度測定回路２０は、基板１００を伝導する発光ダイオード１１〜１ｎの発熱による温度上昇を測定する。つまり、温度測定回路２０が測定する周囲温度は基板１００の基板温度である。
【００１７】
発光部１０が複数の発光ダイオード１１〜１ｎを含む場合は、一般的に、複数の発光ダイオード１１〜１ｎの中心付近の発光ダイオード１ｉの接合温度が最も高くなる（１＜ｉ＜ｎ）。これは、各発光ダイオード１１〜１ｎの接合温度が、周囲に配置された他の発光ダイオードの発熱の影響を受けるためである。そのため、温度測定回路２０を発光ダイオード１ｉの近傍に配置することが好ましい。
【００１８】
なお、図２に示すように第２の主面１０２上に温度測定回路２０を配置する場合は、発光ダイオード１ｉの周囲温度Ｔを高精度に測定するために、第１の主面１０１上に配置された発光ダイオード１ｉと対応する第２の主面１０２上の位置に温度測定回路２０を配置することが好ましい。例えば、発光ダイオード１ｉの中心と対応する第２の主面１０２上の位置から半径５ｍｍ以内に温度測定回路２０を配置する。
【００１９】
また、基板１００を貫通して発光ダイオード１ｉと接する熱伝導体の第２の主面１０２に露出した部分に隣接して温度測定回路２０を配置することにより、発光ダイオード１ｉの周囲温度Ｔを高精度に測定することができる。この配置例を図３（ａ）〜図３（ｃ）に示す。
【００２０】
図３（ａ）は、発光ダイオード１ｉが配置された第１の主面１０１の上面図である。発光ダイオード１ｉの長手方向の端部はそれぞれアノード及びカソードであり、半田２０１及び半田２０２によりアノード及びカソードが第１の主面１０１上に形成される配線パターンと電気的に接続されると共に、発光ダイオード１ｉが第１の主面１０１上に固定される。
【００２１】
図３（ｂ）は、図３（ａ）のＩ−Ｉ方向に沿った断面図である。図３（ｂ）に示すように、熱伝導体３０１及び熱伝導体３０２がプリント基板である基板１００を貫通して配置される。例えば、基板１００に形成されるスルーホールに熱伝導体３０１及び熱伝導体３０２を埋め込み、熱伝導体３０１及び熱伝導体３０２の一部を第２の主面１０２に露出させる。熱伝導体３０１及び熱伝導体３０２の一部は第１の主面１０１に露出して、半田２０１及び半田２０２にそれぞれ接触する。或いは、熱伝導体３０１及び熱伝導体３０２を発光ダイオード１ｉに直接接触させ、半田２０１及び半田２０２により発光ダイオード１ｉを固定してもよい。
【００２２】
図３（ｃ）は、温度測定回路２０が配置された第２の主面１０２の上面図である。図３（ｃ）に示すように、熱伝導体３０１及び熱伝導体３０２の第２の主面１０２上に露出した部分に隣接して、温度測定回路２０が配置される。
【００２３】
熱伝導体３０１及び熱伝導体３０２には、熱伝導率の高い物質が採用可能である。例えば銅（Ｃｕ）膜やシリコン（Ｓｉ）膜等を熱伝導体３０１及び熱伝導体３０２に使用する。上記のように、基板１００を貫通する熱伝導率の高い熱伝導体３０１及び熱伝導体３０２の一端を発光ダイオード１ｉに接触させ、第２の主面１０２上に露出させた熱伝導体３０１及び熱伝導体３０２の他端の近傍に温度測定回路２０を配置することにより、温度測定回路２０によって発光ダイオード１ｉの周囲温度Ｔを高精度に測定することができる。
【００２４】
次に、温度測定回路２０によって測定された周囲温度Ｔを用いて制御回路４０が発光ダイオード１１〜１ｎに流れる駆動電流の大きさを設定する方法の例を説明する。以下では、制御回路４０が駆動回路３０をＰＷＭ制御する場合を例示的に説明する。なお、駆動回路３０は、デューティ比が高いほど駆動電流を大きく設定する。ここで、デューティ比はＰＷＭ制御に使用されるパルス信号の周期に対するハイレベルの比である。
【００２５】
図４に示すように、一般的に、発光状態にある発光ダイオード１１〜１ｎの周囲温度Ｔは時刻ｔの経過と共に上昇する。ここで、温度測定回路２０によって測定された任意の対象時刻ｔCにおける周囲温度Ｔを対象周囲温度ＴC、対象時刻ｔCより一定時間Δｔだけ過去の時刻である基準時刻ｔ0における周囲温度Ｔを基準周囲温度Ｔ0とする。そして、対象周囲温度ＴCから基準周囲温度Ｔ0を引いた差「ＴC−Ｔ0」を、周囲温度Ｔの時間変化量ΔＴとする。一定時間Δｔは、例えば１５秒程度に設定される。なお、図２や図３に示したように発光ダイオード１１〜１ｎ及び温度測定回路２０が基板１００上に配置されている場合、周囲温度Ｔは基板１００の基板温度（ケース温度）である。
【００２６】
発光ダイオード１１〜１ｎの輝度は駆動電流の大きさで決まるが、周囲温度Ｔの影響により発光ダイオード１１〜１ｎの接合温度が変化すると、発光ダイオード１１〜１ｎの出射光の波長が変動して輝度が変化する。このため、周囲温度Ｔを一定に維持するように駆動電流の大きさを調整することにより、発光ダイオード１１〜１ｎの輝度を一定にできる。そして、周囲温度Ｔを所定の値に保つことによって、発光ダイオード１１〜１ｎを最適な状態、例えば輝度が最も高い状態に保つことができる。
【００２７】
制御回路４０は、周囲温度Ｔが所定の最適温度になるように、対象周囲温度ＴCと時間変化量ΔＴとを用いて、対象周囲温度ＴCが測定される対象時刻ｔC以降の駆動電流の大きさを設定する。具体的には、例えば図５に示すようなデューティ変更量テーブルを参照して設定されたデューティ比を制御信号ＳＢで送信して、駆動回路３０をＰＷＭ制御する。図５に示した変更量ｄ１１〜変更量ｄ４６は、対象時刻ｔCにおいて駆動回路３０に送信されたデューティ比を増減するデューティ変更量である。つまり、対象時刻ｔCにおけるデューティ比を変更量ｄ１１〜変更量ｄ４６のいずれかだけ変更して、対象時刻ｔC以降の駆動電流の大きさが設定される。変更量ｄ１１〜変更量ｄ４６は、例えば対象時刻ｔCのデューティ比と対象時刻ｔC以降に設定するデューティ比との差としてもよいし、或いは対象時刻ｔCにおけるデューティ比に対する比率にしてもよい。
【００２８】
図５においては、周囲温度Ｔが温度ＴC3より高く温度ＴC4以下であるときが、発光ダイオード１１〜１ｎが最適な状態である。つまり、ＴC3＜Ｔ≦ＴC4である周囲温度Ｔが発光ダイオード１１〜１ｎを最適な状態にする、目標とする最適温度ＴBである。
【００２９】
このため、対象周囲温度ＴCが温度ＴC3以下の場合には、原則として制御回路４０は駆動回路３０に送信するデューティ比を増加させる。図５に示したデューティ変更量テーブルでは、対象周囲温度ＴCが温度ＴC3以下の場合を、「ＴC≦ＴC1」、「ＴC1＜ＴC≦ＴC2」、「ＴC2＜ＴC≦ＴC3」に分けてデューティ変更量が設定されている。
【００３０】
一方、対象周囲温度ＴCが温度ＴC4より高い場合には、制御回路４０は駆動回路３０に送信するデューティ比を減少させる。図５に示したデューティ変更量テーブルでは、対象周囲温度ＴCが温度ＴC3より高い場合を、「ＴC4＜ＴC≦ＴC5」、「ＴC5＜ＴC」に分けてデューティ変更量が設定されている。
【００３１】
なお、対象周囲温度ＴCと最適温度ＴBとの差が大きいほど、デューティ変更量は大きく設定される。また、デューティ変更量テーブルにおいて、どのような区分の温度範囲でデューティ変更量を設定するかは任意である。
【００３２】
また、図５に示すように、制御回路４０は、対象時刻ｔCでの対象周囲温度ＴCのみでなく、対象時刻ｔCまでの一定時間Δｔにおける周囲温度Ｔの時間変化量ΔＴも用いて、対象時刻ｔC以降のデューティ比を設定する。
【００３３】
例えば、対象周囲温度ＴCが最適温度ＴBより低く、かつ対象周囲温度ＴCが基準周囲温度Ｔ0より低い場合（ΔＴ≦−ΔＴ1）に、制御回路４０はデューティ比を増加させる。ここで、変化量ΔＴ1は例えば２℃程度である。また、対象周囲温度ＴCが最適温度ＴBより低く、かつ対象周囲温度ＴCが基準周囲温度Ｔ0より高い場合にもデューティ比を増大させるが、この場合は、時間変化量ΔＴが大きいほどデューティ変更量が小さく設定される。これは、周囲温度Ｔの時間変化が大きい状態でデューティ変更量を大きく設定すると、駆動電流の変化が大きくなりすぎるためである。このため、図５に示した例では、対象周囲温度ＴCが最適温度ＴBより低い場合であっても、対象周囲温度ＴCが最適温度ＴBに近く、かつ時間変化量ΔＴが大きい場合（ΔＴ3≦ΔＴ）には、制御回路４０はデューティ比を減少させる。ここで、変化量ΔＴ3は例えば４℃程度である。
【００３４】
また、対象周囲温度ＴCが最適温度ＴBである場合にも、時間変化量ΔＴが大きい場合には、デューティ比を減少させる。その結果、対象時刻ｔCまでの時間変化量ΔＴが大きい場合に、対象時刻ｔC以降の周囲温度Ｔを最適温度ＴBに保つことができる。
【００３５】
一方、対象周囲温度ＴCが最適温度ＴBより高い場合には、デューティ比を減少させる。このとき、対象周囲温度ＴCと最適温度ＴBとの差が大きく、時間変化量ΔＴが大きいほど、デューティ変更量が大きく設定される。
【００３６】
上記のように、制御回路４０は、対象周囲温度ＴC及び時間変化量ΔＴを用いて、対象時刻ｔC以降のデューティ比を設定する。例えば、対象周囲温度ＴCと最適温度ＴBに差があっても、時間変化量ΔＴが大きい場合には、デューティ比の変化量を小さく設定する。このため、例えば測定された対象周囲温度ＴCと最適温度ＴBとの差が小さくかつ時間変化量ΔＴが大きい状態等において、駆動電流を大きく変化させてしまうことにより設定された周囲温度Ｔが所望の最適温度ＴBを超過してしまうという周囲温度Ｔのオーバーシュート現象の発生を抑制できる。周囲温度Ｔのオーバーシュート現象が発生すると、発光ダイオード１１〜１ｎの輝度が安定するまでに要する時間が増大するという問題が生じる。一方、対象周囲温度ＴCと最適温度ＴBとの差が大きくかつ時間変化量ΔＴが小さい状態においては、デューティ比の変化量を大きく設定することにより、発光ダイオード１１〜１ｎの輝度が安定するまでに要する時間を短くできる。
【００３７】
デューティ変更量テーブルに設定される変更量ｄ１１〜変更量ｄ４６は、基板１００の温度特性や、発光ダイオード１１〜１ｎの実装方法等に応じて、適宜設定される。例えば、発光ダイオード１１〜１ｎを実装した基板１００を用意し、周囲温度Ｔと発光ダイオード１１〜１ｎの輝度を測定して、発光ダイオード１１〜１ｎの輝度が安定するまでに要する時間が短くなるように変更量ｄ１１〜変更量ｄ４６を決定する。
【００３８】
以上の説明では、制御回路４０が駆動回路３０をＰＷＭ制御する例を説明したが、直流電圧値等によって駆動回路３０を制御してもよい。例えば、対象周囲温度ＴC及び時間変化量ΔＴに応じて電圧値の調整量を設定する。そして、設定された調整量を用いて調整された直流電圧値を制御信号ＳＢで駆動回路３０に送信することによって、駆動電流の大きさを設定する。
【００３９】
また、上記では温度測定回路２０を基板１００の第２の主面１０２上に配置する例を説明したが、温度測定回路２０を第１の主面１０１上に発光ダイオード１ｉと隣接して配置してもよい。例えば、図６に示すように、発光ダイオード１ｉの外縁部から距離ａの範囲Ａ内に温度測定回路２０を配置する。周囲温度Ｔを高精度に測定するために、発光ダイオード１ｉと温度測定回路２０との距離はできるだけ近いことが好ましい。距離ａは、例えば５ｍｍ程度に設定される。
【００４０】
或いは、複数の温度測定回路２０を使用して、発光ダイオード１１〜１ｎの周囲温度Ｔを測定してもよい。例えば、発光ダイオード１１〜１ｎが配置された基板１００の第１の主面１０１と第２の主面１０２にそれぞれ温度測定回路２０を配置する。そして、それぞれの温度測定回路２０により測定された周囲温度Ｔのうちの例えば高い方の温度を使用して、制御回路４０が駆動回路３０を制御する。
【００４１】
また、図７に示すように、照明カバー４００によって発光ダイオード照明装置１が格納された発光ダイオード管（以下において、「ＬＥＤ管」という。）を照明装置として使用することができる。
【００４２】
照明カバー４００は、発光ダイオード１１〜１ｎの出射光が透過する材料を用いて形成可能である。例えば、シリコン樹脂、アクリル樹脂、ポリカーボネート樹脂等により照明カバー４００は形成される。照明カバー４００は、基板１００上に配置された発光ダイオード１１〜１ｎ、駆動回路３０、温度測定回路２０及び制御回路４０等を保護すると共に、発光ダイオード１１〜１ｎの出射光を拡散して発光ダイオード照明装置１の外部に出力する。このため、発光ダイオード１１〜１ｎからそれぞれ出射される指向性の高い光を、発光ダイオード照明装置１から広い面積に均一に照射できる。また、照明カバー４００に蛍光体を塗布することにより、発光ダイオード照明装置１から出力する光を所望の色彩に調整できる。照明カバー４００の外形は種々の形状が採用可能であり、例えば角形であっても円筒形であってもよい。
【００４３】
ここで、ＬＥＤ管の外形寸法を従来の蛍光管と同一にすることにより、このＬＥＤ管を蛍光管の代わりに既存の蛍光管用照明器具に装着することが可能になる。ここで、「蛍光管用照明器具」とは、蛍光管を支持し、かつ蛍光管に電力を供給する電源として機能する器具である。ＬＥＤ管を蛍光管用照明器具によって支持し、蛍光管用照明器具からＬＥＤ管に電源を供給するために、照明カバー４００の長手方向の両端部である端子部４１０及び端子部４２０の外形寸法は、蛍光管の口金具の規格、例えばＧ１３タイプと互換性を持たせる。その結果、蛍光管用照明器具の改造や特別な電気工事等を必要とせずに、容易に発光ダイオードを用いた照明装置を設置できる。
【００４４】
端子部４１０が備える電極端子４１１〜電極端子４１２、及び端子部４２０が備える電極端子４２１〜電極端子４２２によってＬＥＤ管が蛍光管用照明器具に支持され、電源に接続する。電極端子４１１〜電極端子４１２は端子部４１０を貫通して配置され、電極端子４２１〜電極端子４２２は端子部４２０を貫通して配置される。発光ダイオード照明装置１の各回路、即ち、発光ダイオード１１〜１ｎ、温度測定回路２０、駆動回路３０、及び制御回路４０と電極端子４１１〜電極端子４２２とを電気的に接続することよって、電極端子４１１〜電極端子４２２を介して発光ダイオード１１〜１ｎ、駆動回路３０、温度測定回路２０、及び制御回路４０に蛍光管用照明器具から電源が供給される。通常、発光ダイオード１１〜１ｎは直流電力により駆動されるので、蛍光管用照明器具が例えば１００Ｖの交流電力をＬＥＤ管に供給する場合には、ＬＥＤ管内に交流直流コンバータを配置することが好ましい。
【００４５】
以上に説明したように、本発明の実施形態に係る発光ダイオード照明装置１によれば、温度測定回路２０によって測定された発光ダイオード１１〜１ｎの周囲温度Ｔ及び周囲温度Ｔの時間変化量ΔＴに応じて、発光ダイオード１１〜１ｎの駆動電流の大きさが調整される。その結果、周囲温度Ｔのオーバーシュート現象の発生が抑制され、発光ダイオード１１〜１ｎの輝度を設定する時間の増大を抑制できる発光ダイオード照明装置１が提供される。
【００４６】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。
【００４７】
既に述べた実施形態の説明においては、直列接続された発光ダイオード１１〜１ｎが基板１００上に配置されていたが、直列或いは並列接続された複数の発光ダイオードがマトリクス状に配置された発光ダイオード照明装置を実現することができる。
【００４８】
このように、本発明はここでは記載していない様々な実施形態等を含むことは勿論である。したがって、本発明の技術的範囲は上記の説明から妥当な特許請求の範囲に係る発明特定事項によってのみ定められるものである。
【図面の簡単な説明】
【００４９】
【図１】本発明の実施形態に係る発光ダイオード照明装置の構成を示す模式図である。
【図２】本発明の実施形態に係る発光ダイオード照明装置の発光ダイオード及び温度測定回路の配置方法の例を示す模式図である。
【図３】本発明の実施形態に係る発光ダイオード照明装置の発光ダイオード及び温度測定回路の配置方法の例を示す模式図であり、図３（ａ）は基板の第１の主面の上方からみた図であり、図３（ｂ）は図３（ａ）のＩ−Ｉ方向に沿った断面図であり、図３（ｃ）は基板の第２の主面の上方からみた図である。
【図４】本発明の実施形態に係る発光ダイオード照明装置の周囲温度と時刻との関係を示すグラフである。
【図５】本発明の実施形態に係る発光ダイオード照明装置のデューティ変更量テーブルの例である。
【図６】本発明の実施形態に係る発光ダイオード照明装置の発光ダイオード及び温度測定回路の配置方法の他の例を示す模式図である。
【図７】本発明の実施形態に係る発光ダイオード照明装置を用いたＬＥＤ管の構成を示す模式図である。
【符号の説明】
【００５０】
１…発光ダイオード照明装置
１０…発光部
１１〜１ｎ…発光ダイオード
２０…温度測定回路
３０…駆動回路
４０…制御回路
１００…基板
１０１…第１の主面
１０２…第２の主面
２０１、２０２…半田
３０１、３０２…熱伝導体
４００…照明カバー
４１０、４２０…端子部
４１１〜４２２…電極端子
【図１】
0005264282.tif 000002
【図２】
0005264282.tif 000003
【図３】
0005264282.tif 000004
【図４】
0005264282.tif 000005
【図５】
0005264282.tif 000006
【図６】
0005264282.tif 000007
【図７】
0005264282.tif 000008